(57)【要約】【課題】適切な現像パラメータを設定して、ＲＡＷデータを現像できない場合がある。【解決手段】ＲＡＷデータ処理装置は、所定の変数値で処理されたＲＡＷデータの情報と、決定された撮像素子のゲイン値に基づいて、改善量テーブルから改善量を抽出し、撮像素子のゲイン値を変調する。そして、変調された撮像素子のゲイン値に基づいて、ＲＡＷデータの現像に用いる現像パラメータを設定し、ＲＡＷデータに対して、現像パラメータに基づく所定の処理を加えて、画像データを出力する。【選択図】図１
2014045244.tif 000002
【特許請求の範囲】
【請求項１】
撮像素子が出力するＲＡＷデータを所定の変数値で処理する変数処理部と、
前記撮像素子から前記ＲＡＷデータを受け取って、前記ＲＡＷデータの撮影時に設定された露出を判定した判定結果に基づいて、前記撮像素子のゲイン値を決定する露出判定部と、
前記撮像素子のゲイン値の改善量が設定される改善量テーブルと、
所定の変数値で処理された前記ＲＡＷデータの情報と、決定された前記撮像素子のゲイン値に基づいて、前記改善量テーブルから前記改善量を抽出し、前記撮像素子のゲイン値を変調するゲイン変調部と、
変調された前記撮像素子のゲイン値に基づいて、前記ＲＡＷデータの現像に用いる現像パラメータを設定する現像パラメータ設定部と、
設定された前記現像パラメータに基づいて、所定の変数値で処理された前記ＲＡＷデータから現像した画像データを出力する現像処理部と、を備えた
ＲＡＷデータ処理装置。
【請求項２】
前記変数処理部は、前記撮像素子から連続して入力する複数の前記ＲＡＷデータを合成するＲＡＷデータ合成部であって、
前記改善量テーブルには、前記撮像素子のゲイン値で分類される軸と、前記ＲＡＷデータの合成枚数で分類される軸によって構成され、各軸の交わる箇所で前記改善量が設定され、
前記ゲイン変調部は、前記ＲＡＷデータの合成枚数、及び前記撮像素子のゲイン値に基づいて前記改善量テーブルから抽出した前記改善量によって、前記撮像素子のゲイン値を変調する
請求項１記載のＲＡＷデータ処理装置。
【請求項３】
さらに、前記変数処理部は、サイズ変更率に基づいて、前記ＲＡＷデータの画像サイズを変更する処理を行うサイズ変更処理部であって、
前記改善量テーブルには、前記撮像素子のゲイン値で分類される軸と、前記サイズ変更率で分類される軸によって構成され、各軸の交わる箇所で前記改善量が設定され、
前記ゲイン変調部は、前記サイズ変更率、及び前記撮像素子のゲイン値に基づいて前記改善量テーブルから抽出した前記改善量によって、前記撮像素子のゲイン値を変調する
請求項１記載のＲＡＷデータ処理装置。
【請求項４】
さらに、前記変数処理部は、３次元ノイズリダクション強度に基づいて、前記ＲＡＷデータの３次元ノイズリダクション処理を行う３次元ノイズリダクション処理部であって、
前記改善量テーブルには、前記撮像素子のゲイン値で分類される軸と、前記３次元ノイズリダクション強度で分類される軸によって構成され、各軸の交わる箇所で前記改善量が設定され、
前記ゲイン変調部は、前記３次元ノイズリダクション強度、及び前記撮像素子のゲイン値に基づいて前記改善量テーブルから抽出した前記改善量によって、前記撮像素子のゲイン値を変調する
請求項１記載のＲＡＷデータ処理装置。
【請求項５】
撮像素子が出力するＲＡＷデータを所定の変数値で処理することと、
前記撮像素子から前記ＲＡＷデータを受け取って、前記ＲＡＷデータの撮影時に設定された露出を判定した判定結果に基づいて、前記撮像素子のゲイン値を決定することと、
所定の変数値で処理された前記ＲＡＷデータの情報と、決定された前記撮像素子のゲイン値に基づいて、前記撮像素子のゲイン値の改善量が設定される改善量テーブルから前記改善量を抽出し、前記撮像素子のゲイン値を変調することと、
変調された前記撮像素子のゲイン値に基づいて、前記ＲＡＷデータの現像に用いる現像パラメータを設定することと、
設定された前記現像パラメータに基づいて、所定の変数値で処理された前記ＲＡＷデータから現像した画像データを出力することと、を含む
ＲＡＷデータ処理方法。
【請求項６】
光学系を介して入射した像光に基づいてＲＡＷデータを出力する撮像素子と、
前記ＲＡＷデータを所定の変数値で処理する変数処理部と、
前記撮像素子から前記ＲＡＷデータを受け取って、前記ＲＡＷデータの撮影時に設定された露出を判定した判定結果に基づいて、前記撮像素子のゲイン値を決定する露出判定部と、
前記撮像素子のゲイン値の改善量が設定される改善量テーブルと、
所定の変数値で処理された前記ＲＡＷデータの情報と、決定された前記撮像素子のゲイン値に基づいて、前記改善量テーブルから前記改善量を抽出し、前記撮像素子のゲイン値を変調するゲイン変調部と、
変調された前記撮像素子のゲイン値に基づいて、前記ＲＡＷデータの現像に用いる現像パラメータを設定する現像パラメータ設定部と、
設定された前記現像パラメータに基づいて、所定の変数値で処理された前記ＲＡＷデータから現像した画像データを出力する現像処理部と、を備えた
撮像装置。
【発明の詳細な説明】
【技術分野】
【０００１】
本開示は、例えば、ＲＡＷデータを処理するＲＡＷデータ処理装置、ＲＡＷデータ処理方法及び撮像装置に関する。
【背景技術】
【０００２】
従来、複数フレームの撮影を行い、得られたフレームデータ（以下、「ＲＡＷデータ」とする）を複数フレーム毎に合成することで、ＲＡＷデータのＳ／Ｎを改善したり、ワイドダイナミックレンジを得たりする方法が知られている。この方法を用いると、１枚の静止画を撮影するだけでは得ることが困難なＳ／Ｎの良い画像やダイナミックレンジの広い画像を得ることができる。合成後のＲＡＷデータの状態は、イメージセンサーに設定されるセンサーゲイン値と、ＲＡＷデータになされる処理方法により多種多様となる。
【０００３】
そして、合成後のＲＡＷデータに最適な現像パラメータを設定して、ＪＰＥＧ（Joint Photographic Experts Group）等の静止画データに現像する処理が行われる。この処理には、多様なＲＡＷデータのそれぞれの状態毎に最適な現像パラメータを保持することが必要とされ、現像パラメータを記憶するメモリの記憶領域も膨大になってしまう。
【０００４】
しかし、ハードウェアに搭載されるメモリでは、現像パラメータを割り当てる記憶領域の大きさが制限される。このため、ＲＡＷデータの処理方法を一部に限定する等して、合成後のＲＡＷデータの状態の多様性を絞ることで、必要な現像パラメータの数を絞っている。
【０００５】
ここで、特許文献１には、ＩＳＯ（International Organization for Standardization）感度が異なる２枚のＲＡＷデータを合成する技術が開示されている。この技術を用いれば、ワイドダイナミックレンジな画像を生成する際の合成後のＲＡＷデータの現像パラメータを設定することができる。
【先行技術文献】
【特許文献】
【０００６】
【特許文献１】特開２０１０−１２４４１２号公報
【発明の概要】
【発明が解決しようとする課題】
【０００７】
ところで、特許文献１に開示された方法を用いれば、２枚のＲＡＷ画像の元となるＲＡＷデータのブレンド率を参照し、静止画の低ＩＳＯ感度用パラメータと高ＩＳＯ感度用のパラメータをブレンドして現像パラメータを得られる。しかし、２枚を超える枚数の大量のＲＡＷデータを合成する場合には、単にブレンド率の情報を求めただけでは最適な現像パラメータを得ることはできない。このため、大量のＲＡＷデータを合成したＲＡＷデータに適切な現像パラメータを設定できず、現像が行えない場合があった。
【０００８】
本開示はこのような状況に鑑みて成されたものであり、ＲＡＷデータを現像するために最適な現像パラメータを得ることを目的とする。
【課題を解決するための手段】
【０００９】
本開示は、光学系を介して入射した像光に基づいて撮像素子が出力するＲＡＷデータを所定の変数値で処理する。
次に、撮像素子からＲＡＷデータを受け取って、ＲＡＷデータの撮影時に設定された露出を判定した判定結果に基づいて、撮像素子のゲイン値を決定する。
次に、所定の変数値で処理されたＲＡＷデータの情報と、決定された前記撮像素子のゲイン値に基づいて、撮像素子のゲイン値の改善量が設定される改善量テーブルから改善量を抽出し、撮像素子のゲイン値を変調する。
そして、変調された撮像素子のゲイン値に基づいて、ＲＡＷデータの現像に用いる現像パラメータを設定し、ＲＡＷデータに対して、現像パラメータに基づく所定の処理を加えて、画像データを出力するものである。
【００１０】
このようにしたことで、変調された撮像素子のゲイン値を用いて、現像パラメータを設定し、ＲＡＷデータを現像することができる。
【発明の効果】
【００１１】
本開示によれば、現像パラメータの設定に際して、撮像素子のゲイン値に対する現像パラメータの多数の組合せを設定しなくてもよい。そして、改善量テーブルに改善量を設定しておけば、撮像素子のゲイン値を変調して、最適な現像パラメータを得られ、ＲＡＷデータを適切に現像することができる。
【図面の簡単な説明】
【００１２】
【図１】本開示の第１の実施の形態例における撮像装置の内部構成例を示すブロック図である。
【図２】本開示の第１の実施の形態例における合成枚数とセンサーゲイン値に基づいてＳ／Ｎ改善量を規定するＳ／Ｎ改善量テーブルの構成例を示す説明図である。
【図３】本開示の第２の実施の形態例における撮像装置の内部構成例を示すブロック図である。
【図４】本開示の第２の実施の形態例におけるサイズ変更率とセンサーゲイン値に基づいてＳ／Ｎ改善量を規定するＳ／Ｎ改善量テーブルの構成例を示す説明図である。
【図５】本開示の第３の実施の形態例における撮像装置の内部構成例を示すブロック図である。
【図６】本開示の第３の実施の形態例における３次元ノイズリダクション強度とセンサーゲイン値に基づいてＳ／Ｎ改善量を規定するＳ／Ｎ改善量テーブルの構成例を示す説明図である。
【図７】撮像装置の内部構成例を示すブロック図である。
【図８】現像パラメータ値の決定処理の例を示す説明図である。
【発明を実施するための形態】
【００１３】
以下、本開示を実施するための形態（以下、実施の形態例とする。）について説明する。なお、説明は以下の順序で行い、共通する部分には同一符号を付し、詳細な説明を省略する。
１．前提説明
２．第１の実施の形態例（ＲＡＷデータの合成枚数によってセンサーゲイン値を変調する例）
３．第２の実施の形態例（ＲＡＷ画像のサイズ変更率によってセンサーゲイン値を変調する例）
４．第３の実施の形態例（３次元ノイズリダクション強度によってセンサーゲイン値を変調する例）
５．変形例
【００１４】
＜１．前提説明＞
本発明者らは、まず以下の検討を行った。
図７は、撮像装置１００の内部構成例を示すブロック図である。
撮像装置１００は、イメージセンサー１と、露出判定部２と、現像パラメータ設定部３と、現像パラメータ格納部４と、ＲＡＷ現像処理部５とを備える。そして、撮像装置１００は、従来の方法を用いて静止画を現像する処理を行っている。
【００１５】
イメージセンサー１は、ＣＣＤ（Charge Coupled Device）又はＣＭＯＳ（Complementary Metal Oxide Semiconductor）センサー等の撮像素子によって構成される。不図示の光学系を介して入射した像光がイメージセンサー１に結像すると、イメージセンサー１はＲＡＷデータＳ１を生成する。ＲＡＷデータＳ１は、イメージセンサー１から出力され、露出判定部２とＲＡＷ現像処理部５へ入力される。
【００１６】
露出判定部２では、ＲＡＷデータＳ１から取り出したデータ値に基づいてイメージセンサー１の露出を判定した判定結果に基づいて、イメージセンサー１に適切な露光量の調整を行う。このとき、露出判定部２は、不図示の光学系によって行われるシャッター動作のシャッタースピード、ｆ値等からイメージセンサー１のセンサーゲイン値Ｓ２を決定する。その後、露出判定部２は、決定したセンサーゲイン値Ｓ２をイメージセンサー１へ出力し、イメージセンサー１のゲイン値を調整した後、イメージセンサー１が撮影を行う。センサーゲイン値Ｓ２は、ＲＡＷデータＳ１のレベルを解析し、レベル量に応じて露出判定部２が求める値であり、イメージセンサー１のセンサーゲイン、Ｆ値、シャッター時間を調整する際に用いられる。なお、ＲＡＷデータＳ１自体には、ＩＳＯ感度情報が含まれない。しかし、ソフトウェアを用いて露出判定部２と同等の処理を実現する際には、ＲＡＷデータファイルのヘッダ部分に含まれるＡＧＣのゲイン情報やＩＳＯ感度情報を参照してセンサーゲイン値Ｓ２を決定することができる。
【００１７】
撮影処理によってイメージセンサー１から出力されるＲＡＷデータＳ１は、ＲＡＷ現像処理部５へ入力される。ＲＡＷ現像処理部５は、入力したＲＡＷデータＳ１に基づいて現像処理を行う。現像処理に必要とされる現像パラメータＳ４は、現像パラメータ設定部３から供給される。現像パラメータ設定部３では、現像パラメータ格納部４に格納された各種の現像パラメータから、センサーゲイン値Ｓ２を元に最適な現像パラメータを決定し、この現像パラメータを、ＲＡＷ現像処理部５に現像パラメータＳ４として供給する。ＲＡＷ現像処理部５は、現像パラメータＳ４に基づいてＲＡＷデータＳ１の現像を行い、ＪＰＥＧ等の画像データＳ５として出力する。
【００１８】
図８は、現像パラメータ設定部３が決定する現像パラメータ値の決定処理の例を示す説明図である。
図８に示すセンサーゲイン値Ｇ１〜Ｇ４は、図７に示したセンサーゲイン値Ｓ２の具体的な値を示したものである。現像パラメータ設定部３では、一般的に図８に示すセンサーゲイン値と現像パラメータ値の関係を用いて、現像パラメータＳ４を決定している。
【００１９】
センサーゲイン値Ｓ２は、細かな間隔で設定される。例えば、センサーゲイン値Ｓ２の可変範囲として６ｄＢから２４ｄＢまでの区間を定めれば、センサーゲイン値Ｓ２の最小の変更量を０．３ｄＢ単位で設定できるものとする。この場合、６１通りのセンサーゲイン値Ｓ２を設定できることになる。
【００２０】
しかし、センサーゲイン値Ｓ２の６１通りの値に対して、それぞれ最適な現像パラメータ値を保持するには、現像パラメータ格納部４の記憶領域を拡大しなければならない。このため、一般的には、ある程度間隔を空けた数点のセンサーゲイン値Ｇ１〜Ｇ４に対応した現像パラメータ値Ｐ１〜Ｐ４を予め求めておく。そして、センサーゲイン値Ｇ１〜Ｇ４と現像パラメータ値Ｐ１〜Ｐ４の対応関係を現像パラメータ格納部４に保持しておく。現像パラメータ値Ｐ１〜Ｐ４は、現像パラメータ設定部３によって適宜読み出される。
【００２１】
例えば、ＩＳＯ感度を“１００”とした場合におけるセンサーゲイン値Ｇ１に対応する現像パラメータ値Ｐ１は、ＲＡＷデータのＳ／Ｎを高めるために“１．０”のように設定される。また、ＩＳＯ感度を“１００”より高めた場合には、ＲＡＷデータのＳ／Ｎは十分に高いため、センサーゲイン値Ｇ４に対応する現像パラメータ値Ｐ４は、“０．２”のように設定される。
【００２２】
例えば、撮影時に用いられたセンサーゲイン値Ｓ２が、センサーゲイン値Ｇ１〜Ｇ２の間の値にあるとする。このとき、現像パラメータ設定部３では、現像パラメータ値Ｐ１，Ｐ２と、センサーゲイン値Ｇ１，Ｇ２を用いて、設定すべき現像パラメータ値の補間を行って、ＲＡＷ現像処理部５に現像パラメータＳ４の設定を行う。現像パラメータ設定部３が行う補間方法は様々だが、一般的に線形補間による演算が演算処理も単純であることから採用されることが多い。
【００２３】
そして、ＲＡＷ現像処理部５は、ＲＡＷデータＳ１から静止画を現像する際に、センサーゲイン値Ｓ２が小さい場合と大きい場合とで現像パラメータＳ４を切り替えて処理を行う。センサーゲイン値Ｓ２が小さい場合は、ＲＡＷデータＳ１のＳ／Ｎが良いのでノイズリダクションの強度を弱め、シャープネス等の鮮鋭化処理を強めて現像を行う。一方、センサーゲイン値Ｓ２が大きい場合は、ＲＡＷデータＳ１のＳ／Ｎが悪いのでノイズリダクションの強度を強め、シャープネス等の鮮鋭化処理を弱めて現像を行う。
【００２４】
ここで、現像パラメータＳ４を切り替えずに、例えばセンサーゲイン値Ｓ２が高い場合に調整した現像パラメータＳ４を、小さいセンサーゲイン値Ｓ２で撮像されたＲＡＷデータＳ１に適用すると、ノイズリダクションが強く、鮮鋭化処理が弱くなる。このため、解像感の低い画像データＳ５が出力されることになる。
【００２５】
ここで、複数のＲＡＷデータを合成する処理では、合成枚数が多いほどＲＡＷデータのＳ／Ｎを改善する効果が高くなる。理論的には、合成枚数を２Ｎ枚としたとき、Ｓ／Ｎ改善量は６×Ｎ［ｄＢ］改善することが知られている。例えば、２４［ｄＢ］で撮影したＲＡＷデータを８枚（２３枚）合成すると、理論的にＳ／Ｎは６×３＝１８［ｄＢ］改善し、２４ｄＢ−１８ｄＢ＝６［ｄＢ］で撮影して得たＲＡＷデータとほぼ同程度のＳ／Ｎとなる。
【００２６】
しかし、６［ｄＢ］相当にＳ／Ｎが改善したＲＡＷデータを、センサーゲイン値を２４［ｄＢ］とした最適な現像パラメータで現像した場合、解像度の低い画像になってしまう。このため、合成後のＲＡＷデータに最適な現像パラメータを用意する必要がある。しかしながら、合成枚数を増やしていくと、センサーゲイン値Ｓ２と合成枚数との組み合わせ数は膨大になってしまい、これらの組合せ毎に最適な現像パラメータを保持しておくことは非現実的である。
【００２７】
上記の検討の結果、本発明者らは、本開示の第１の実施の形態例に係る撮像装置１０とＲＡＷデータ処理装置１１の構成及び処理を見いだした。ここでは、どのように複数のＲＡＷデータＳ１を合成し、合成後のＲＡＷデータＳ１２のＳ／Ｎを高めて、現像パラメータＳ４を設定し、画像データＳ５の現像を行うかについて説明を行う。
【００２８】
＜２．第１の実施の形態例＞
［ＲＡＷデータの合成枚数によってセンサーゲイン値を変調する例］
次に、本開示の第１の実施の形態例に係る撮像装置１０の構成例及び動作例について、図１と図２を参照して説明する。
【００２９】
図１は、第１の実施の形態例に係る撮像装置１０の内部構成例を示す。
この撮像装置１０は、コンピュータがプログラムを実行することにより、後述する内部ブロックが連携して行う、ＲＡＷデータ処理方法を実現する。
【００３０】
第１の実施の形態例に係る撮像装置１０は、イメージセンサー１と、ＲＡＷデータ処理装置１１を備える。ＲＡＷデータ処理装置１１は、撮像装置１００が備える露出判定部２と、現像パラメータ設定部３と、現像パラメータ格納部４と、ＲＡＷ現像処理部５に加えて、以下の処理ブロックを備える。すなわち、ＲＡＷデータ処理装置１１は、ＲＡＷデータ合成部１２と、Ｓ／Ｎ改善量テーブル１３と、ゲイン変調部１４を備える。
【００３１】
撮像装置１０は、イメージセンサー１から受け取った複数のＲＡＷデータＳ１を合成し、Ｓ／Ｎの改善した合成ＲＡＷデータＳ１２を生成する。そして、その合成ＲＡＷデータＳ１２を現像して画像データＳ５を生成し、後段の処理ブロックに出力している。以下に撮像装置１０の詳細な処理例を説明する。
【００３２】
まず、露出判定部２は、撮像装置１００が行う静止画撮影における処理と同様に、イメージセンサー１から出力されるＲＡＷデータＳ１から露光量の調整を行って、センサーゲイン値Ｓ２を決定する。そして、イメージセンサー１にセンサーゲイン値Ｓ２を設定する。撮影開始後、イメージセンサー１から露出判定部２とＲＡＷデータ合成部１２に複数枚（フレーム）のＲＡＷデータＳ１が出力される。ＲＡＷデータＳ１の撮影枚数は、予めＣＰＵ等によって設定されている。
【００３３】
ＲＡＷデータ合成部１２は、ＲＡＷデータＳ１を所定の変数値で処理する変数処理部の一例として用いられる。ＲＡＷデータ合成部１２は、イメージセンサー１から連続して入力する複数のＲＡＷデータＳ１の合成を行い、１枚の合成ＲＡＷデータＳ１２を出力する。
【００３４】
ＲＡＷ現像処理部５がＲＡＷデータの現像に適用する現像パラメータＳ４は、一般的なＲＡＷ現像処理と同様に現像パラメータ設定部３から供給される。ここで、現像パラメータ設定部３では、露出判定部２から出力されるセンサーゲイン値Ｓ２を直接参照せず、ゲイン変調部１４で変調されたセンサーゲイン値Ｓ１４を参照する。そして、ゲイン変調部１４は、Ｓ／Ｎ改善量テーブル１３からセンサーゲイン値Ｓ２のＳ／Ｎ改善量Ｓ１３を抽出し、センサーゲイン値Ｓ２を変調している。
【００３５】
このため、ＲＡＷデータ処理装置１１では、あるセンサーゲイン値Ｓ２を用いて、ある枚数のＲＡＷデータＳ１を合成した場合、実質何ｄＢだけＳ／Ｎが改善するかを示すＳ／Ｎ改善量テーブル１３を予め作成しておく。そして、センサーゲイン値Ｓ２からＳ／Ｎ改善量テーブル１３から抽出されたＳ／Ｎ改善量Ｓ１３を減算して変調したセンサーゲイン値Ｓ１４を求める。現像パラメータ設定部３は、変調されたセンサーゲイン値Ｓ１４に基づいて、現像パラメータ格納部４から静止画用に設定した現像パラメータの補間を行って、現像パラメータＳ４を求める。このような処理を経て、ＲＡＷ現像処理部５は、静止画の現像パラメータＳ４を用いて、合成ＲＡＷデータＳ１２の現像を行い、最適なＳ／Ｎとした画像データＳ５を出力する。
【００３６】
図２は、合成枚数Ｓ１１とセンサーゲイン値Ｓ２に基づいてＳ／Ｎ改善量Ｓ１３を規定するＳ／Ｎ改善量テーブル１３の構成例を示す説明図である。
【００３７】
Ｓ／Ｎ改善量テーブル１３には、イメージセンサー１のセンサーゲイン値Ｓ２で分類される軸と、ＲＡＷデータＳ１の合成枚数で分類される軸によって構成され、各軸の交わる箇所で各テーブル値としてのＳ／Ｎ改善量Ｓ１３が予めＣＰＵ等によって設定されている。そして、Ｓ／Ｎ改善量テーブル１３では、ＲＡＷデータの合成枚数Ｓ１１とセンサーゲイン値Ｓ２の二つからＳ／Ｎ改善量Ｓ１３が抽出される。
【００３８】
上述したようにゲイン変調部１４には、ＲＡＷデータ合成部１２から出力される合成枚数Ｓ１１と露出判定部２から出力されるセンサーゲイン値Ｓ２が入力される。そして、ゲイン変調部１４は、これら二つの値からＳ／Ｎ改善量テーブル１３のテーブル値を参照してＳ／Ｎ改善量Ｓ１３を抽出する。
【００３９】
ゲイン変調部１４は、ＲＡＷデータＳ１の合成枚数、及びイメージセンサー１のゲイン値に基づいてＳ／Ｎ改善量テーブル１３から抽出したＳ／Ｎ改善量Ｓ１３によって、イメージセンサー１のセンサーゲイン値Ｓ２を変調するものである。そして、ゲイン変調部１４は、変調したセンサーゲイン値Ｓ１４を、現像パラメータ設定部３へ出力する。センサーゲイン値Ｓ２を変調してＳ／Ｎを改善させる方法としては、例えば、センサーゲイン値Ｓ２が「ｄＢ」で与えられている場合、改善量として減算値をＳ／Ｎ改善量テーブル１３に設定しておく。そして、ゲイン変調部１４がＳ／Ｎ改善量テーブル１３からＳ／Ｎ改善量Ｓ１３を抽出した後に、センサーゲイン値Ｓ２からＳ／Ｎ改善量Ｓ１３を減算して、センサーゲイン値Ｓ１４を出力することで実現できる。
【００４０】
例えば、センサーゲイン値Ｓ２が“３６ｄＢ”であって、合成枚数Ｓ１１が“２枚”であるとする。このとき、ゲイン変調部１４は、Ｓ／Ｎ改善量テーブル１３からＳ／Ｎ改善量Ｓ１３として、“８ｄＢ”を抽出する。そして、ゲイン変調部１４は、センサーゲイン値Ｓ２からＳ／Ｎ改善量Ｓ１３を減じた“２８ｄＢ”であるセンサーゲイン値Ｓ１４を現像パラメータ設定部３に出力する。
【００４１】
現像パラメータ設定部３では、一般的なＲＡＷ現像処理と同様に、変調したセンサーゲイン値Ｓ１４を用いて、現像パラメータ格納部４から補間した現像パラメータＳ４を出力する。例えば、図８に示したグラフにおいて、センサーゲイン値Ｇ１＝６ｄＢとし、センサーゲイン値Ｇ４＝３６ｄＢとする。このとき、あるセンサーゲイン値Ｓ１４の“２８ｄＢ”という値は、センサーゲイン値Ｇ３〜Ｇ４の間に含まれる。このため、現像パラメータ設定部３は、現像パラメータＰ３〜Ｐ４を線形補間して得た現像パラメータＳ４を求めることができる。そして、現像パラメータ設定部３がＲＡＷ現像処理部５に現像パラメータＳ４の設定を行う。
【００４２】
以上説明した第１の実施の形態例に係るゲイン変調部１４は、センサーゲイン値Ｓ２と合成枚数Ｓ１１に基づいてＳ／Ｎ改善量Ｓ１３を抽出する。そして、ゲイン変調部１４は、センサーゲイン値Ｓ２をＳ／Ｎ改善量Ｓ１３によって改善したセンサーゲイン値Ｓ１４を現像パラメータ設定部３に出力する。ここで、Ｓ／Ｎ改善量テーブル１３には、合成枚数Ｓ１１とセンサーゲイン値Ｓ２から求まるテーブル値としてＳ／Ｎ改善量Ｓ１３が予め規定される。そして、ゲイン変調部１４は、速やかにＳ／Ｎ改善量Ｓ１３を抽出し、センサーゲイン値Ｓ２をセンサーゲイン値Ｓ１４に変調できる。このため、様々な合成枚数Ｓ１１とセンサーゲイン値Ｓ２の組合せであっても最適なＳ／Ｎ改善量Ｓ１３を抽出してセンサーゲイン値Ｓ２を改善することができる。また、現像パラメータ格納部４から読み出した現像パラメータＳ３に基づいて、変調されたセンサーゲイン値Ｓ１４から最適な現像パラメータＳ４が設定される。このため、ＲＡＷ現像処理部５は、合成ＲＡＷデータＳ１２の最適な現像を行うことができる。
【００４３】
また、複数枚毎に静止画を合成してＳ／Ｎの良い静止画を得るマルチプレーンブレンディングの処理において、入力したＲＡＷデータＳ１のＩＳＯ感度と合成枚数により、合成ＲＡＷデータＳ１２のＳ／Ｎの状態は多様となる。しかし、Ｓ／Ｎ改善量テーブル１３に設定されたＳ／Ｎ改善量Ｓ１３の数が少なくても、Ｓ／Ｎの状態が多種多様である合成ＲＡＷデータＳ１２に最適な現像パラメータＳ４を設定することが可能となる。
【００４４】
＜３．第２の実施の形態例＞
［ＲＡＷデータのサイズ変更率によってセンサーゲイン値を変調する例］
次に、本開示の第２の実施の形態例に係る撮像装置２０の構成例及び動作例について、図３と図４を参照して説明する。
【００４５】
図３は、第２の実施の形態例に係る撮像装置２０の内部構成例を示す。
【００４６】
第２の実施の形態例に係る撮像装置２０は、イメージセンサー１と、ＲＡＷデータ処理装置２１を備える。ＲＡＷデータ処理装置２１は、撮像装置１００が備える露出判定部２と、現像パラメータ設定部３と、現像パラメータ格納部４と、ＲＡＷ現像処理部５に加えて、以下の処理ブロックを備える。すなわち、ＲＡＷデータ処理装置２１は、サイズ変更処理部２２と、Ｓ／Ｎ改善量テーブル２３と、ゲイン変調部２４を備える。
【００４７】
ＲＡＷデータ処理装置２１は、イメージセンサー１から出力されるＲＡＷデータＳ１をサイズ変更処理部２２でＲＡＷデータの画像サイズの変更、すなわち拡大又は縮小処理を行う。拡大又は縮小処理は、例えば不図示のビューファインダー等の表示部に撮像した画像を表示する場合等になされる。例えば、イメージセンサー１の撮像解像度に比べて、表示部の表示解像度が低い場合には、ＲＡＷデータの縮小処理がなされる。この処理により、表示部では、ＲＡＷ画像の全体を表示することができる。拡大処理は、縮小処理とは逆に、イメージセンサー１の撮像解像度よりも大きな解像度の画像としたＲＡＷデータに変換する処理である。サイズ変更処理部２２とゲイン変調部２４には、不図示のＣＰＵによりサイズ変更率Ｓ２１が供給される。
【００４８】
サイズ変更処理部２２は、ＲＡＷデータＳ１を所定の変数値で処理する変数処理部の一例として用いられる。サイズ変更処理部２２は、画像サイズが変更されたＲＡＷデータＳ２２をＲＡＷ現像処理部５へ出力する。ＲＡＷ現像処理部５は、ＲＡＷデータＳ２２を現像して、静止画データ又は動画データである画像データＳ２５を生成し、後段の処理ブロックに出力している。
【００４９】
ＲＡＷ現像処理部５がＲＡＷデータＳ２２の現像に適用する現像パラメータＳ４は、一般的なＲＡＷ現像処理と同様に現像パラメータ設定部３から供給される。現像パラメータ設定部３は、ゲイン変調部２４で変調されたセンサーゲイン値Ｓ２４を参照する。ゲイン変調部２４は、Ｓ／Ｎ改善量テーブル２３からセンサーゲイン値Ｓ２のＳ／Ｎ改善量Ｓ２３を抽出し、センサーゲイン値Ｓ２からＳ／Ｎ改善量Ｓ２３を減じたセンサーゲイン値Ｓ２４を求めている。
【００５０】
図４は、サイズ変更率Ｓ２１とセンサーゲイン値Ｓ２に基づいてＳ／Ｎ改善量Ｓ２３を規定するＳ／Ｎ改善量テーブル２３の構成例を示す説明図である。
【００５１】
Ｓ／Ｎ改善量テーブル２３には、イメージセンサー１のセンサーゲイン値Ｓ２で分類される軸と、サイズ変更率Ｓ２１で分類される軸によって構成され、各軸の交わる箇所で各テーブル値としてのＳ／Ｎ改善量Ｓ２３が予めＣＰＵ等によって設定される。そして、Ｓ／Ｎ改善量テーブル２３は、ＲＡＷデータのサイズ変更率Ｓ２１とセンサーゲイン値Ｓ２の二つからＳ／Ｎ改善量Ｓ２３が抽出されるものである。
【００５２】
上述したようにゲイン変調部２４には、サイズ変更率Ｓ２１と、露出判定部２から出力されるセンサーゲイン値Ｓ２が入力される。そして、ゲイン変調部２４は、これら二つの値からＳ／Ｎ改善量テーブル２３のテーブル値を参照してＳ／Ｎ改善量Ｓ２３を抽出する。
【００５３】
ゲイン変調部２４は、サイズ変更率Ｓ２１、及びイメージセンサー１のセンサーゲイン値Ｓ２に基づいてＳ／Ｎ改善量テーブル２３から抽出したＳ／Ｎ改善量Ｓ２３によって、センサーゲイン値Ｓ２を変調するものである。このとき、ゲイン変調部２４は、センサーゲイン値Ｓ２からＳ／Ｎ改善量Ｓ２３を減算する。そして、ゲイン変調部２４は、変調したセンサーゲイン値Ｓ２４を、現像パラメータ設定部３へ出力する。
【００５４】
現像パラメータ設定部３では、一般的なＲＡＷ現像処理と同様に、変調したセンサーゲイン値Ｓ２４を用いて、現像パラメータ格納部４から補間した現像パラメータＳ４を出力する。そして、現像パラメータ設定部３がＲＡＷ現像処理部５に現像パラメータＳ４の設定を行う。
【００５５】
ＲＡＷデータ処理装置２１は、ＲＡＷデータの画像サイズの変更時にＳ／Ｎ改善量テーブル２３を適用するものであるが、補間フィルターを通して画像サイズの変更を行う。このため、画像サイズの変更後におけるＲＡＷデータＳ２２はフィルター効果でＳ／Ｎが改善される。ここで、現像後の画像データの画像サイズを変更する場合は問題ないが、ＲＡＷデータＳ１の画像サイズの変更を行うと、センサーゲイン値Ｓ２とＳ／Ｎの対応関係にずれが生じてしまい、最適な現像を行うことができない。
【００５６】
ＲＡＷデータＳ１を用いて縮小処理を行うメリットとしては、画像データのデータサイズが小さくなることにある。このため、例えば現像の過程でＤＲＡＭ等のフレームメモリを使用する処理がある場合、バスの帯域を小さくしたり、フレームメモリの使用量を削減したりすることができる。デメリットとしては、センサーゲイン値Ｓ２の情報と実際のＳ／Ｎにずれが生じてしまうため、静止画の現像パラメータとは別に縮小処理に用いるパラメータを設定する必要があり、現像パラメータ格納部４の記憶容量の増大を招いてしまうことが挙げられる。
【００５７】
しかし、ＲＡＷデータ処理装置２１は、Ｓ／Ｎ改善量テーブル２３を別途設けるだけで、新たにＲＡＷデータＳ１の画像サイズの変更に用いるパラメータを保持する必要がなく、画像サイズの変更時のデメリットを改善することができる。
【００５８】
以上説明した第２の実施の形態例に係るゲイン変調部２４は、センサーゲイン値Ｓ２とサイズ変更率Ｓ２１に基づいてＳ／Ｎ改善量Ｓ２３を抽出する。そして、ゲイン変調部２４は、センサーゲイン値Ｓ２をＳ／Ｎ改善量Ｓ２３によって変調したセンサーゲイン値Ｓ２４を現像パラメータ設定部３に出力する。ここで、Ｓ／Ｎ改善量テーブル２３には、サイズ変更率Ｓ２１とセンサーゲイン値Ｓ２から求まるテーブル値としてＳ／Ｎ改善量Ｓ２３が予め規定される。そして、ゲイン変調部２４は、速やかにＳ／Ｎ改善量Ｓ２３を抽出し、センサーゲイン値Ｓ２をセンサーゲイン値Ｓ２４に変調できる。このため、様々なサイズ変更率Ｓ２１とセンサーゲイン値Ｓ２の組合せであっても最適なＳ／Ｎ改善量Ｓ２３を抽出してセンサーゲイン値Ｓ２のＳ／Ｎを改善することができる。また、現像パラメータ格納部４から読み出した現像パラメータＳ３に基づいて、変調されたセンサーゲイン値Ｓ１４から最適な現像パラメータＳ４が設定される。このため、ＲＡＷ現像処理部５は、サイズ変更されたＲＡＷデータＳ２２の最適な現像を行うことができる。
【００５９】
＜４．第３の実施の形態例＞
［３次元ノイズリダクション強度によってセンサーゲイン値を変調する例］
次に、本開示の第３の実施の形態例に係る撮像装置３０の構成例及び動作例について、図５と図６を参照して説明する。
【００６０】
図５は、第３の実施の形態例に係る撮像装置３０の内部構成例を示す。
【００６１】
第３の実施の形態例に係る撮像装置３０は、イメージセンサー１と、ＲＡＷデータ処理装置３１を備える。ＲＡＷデータ処理装置３１は、撮像装置１００が備える露出判定部２と、現像パラメータ設定部３と、現像パラメータ格納部４と、ＲＡＷ現像処理部５に加えて、以下の処理ブロックを備える。すなわち、ＲＡＷデータ処理装置３１は、３次元ノイズリダクション処理部３２と、Ｓ／Ｎ改善量テーブル３３と、ゲイン変調部３４を備える。
【００６２】
ＲＡＷデータ処理装置３１は、イメージセンサー１から出力されるＲＡＷデータＳ１を３次元ノイズリダクション処理部３２で３次元ノイズリダクション処理を行う。３次元ノイズリダクション処理とは、連続する２以上のフレームで撮像された画像を画素単位で平均化し、ＲＡＷデータＳ１からノイズを除去する処理である。３次元ノイズリダクション処理部３２とゲイン変調部３４には、不図示のＣＰＵにより３次元ノイズリダクション強度Ｓ３１が供給される。
【００６３】
３次元ノイズリダクション処理部３２は、ＲＡＷデータＳ１を所定の変数値で処理する変数処理部の一例として用いられる。３次元ノイズリダクション処理部３２は、供給される３次元ノイズリダクション強度に基づいて、ＲＡＷデータの３次元ノイズリダクション処理を行い、ＲＡＷデータＳ３２をＲＡＷ現像処理部５へ出力する。ＲＡＷ現像処理部５は、ＲＡＷデータＳ３２を現像して動画データＳ３５を生成し、後段の処理ブロックに出力している。
【００６４】
ＲＡＷ現像処理部５がＲＡＷデータＳ３２の現像に適用する現像パラメータＳ４は、一般的なＲＡＷ現像処理と同様に現像パラメータ設定部３から供給される。現像パラメータ設定部３は、ゲイン変調部３４で変調されたセンサーゲイン値Ｓ３４を参照する。ゲイン変調部３４は、Ｓ／Ｎ改善量テーブル３３からセンサーゲイン値Ｓ２のＳ／Ｎ改善量Ｓ３３を抽出し、センサーゲイン値Ｓ２からＳ／Ｎ改善量Ｓ３３を減じたセンサーゲイン値Ｓ３４を求めている。
【００６５】
図６は、３次元ノイズリダクション強度Ｓ３１とセンサーゲイン値Ｓ２に基づいてＳ／Ｎ改善量Ｓ３３を規定するＳ／Ｎ改善量テーブル３３の構成例を示す説明図である。
【００６６】
Ｓ／Ｎ改善量テーブル３３には、イメージセンサー１のゲイン値で分類される軸と、３次元ノイズリダクション強度で分類される軸によって構成され、各軸の交わる箇所で各テーブル値としてのＳ／Ｎ改善量Ｓ３３が予めＣＰＵ等によって設定される。そして、Ｓ／Ｎ改善量テーブル３３は、ＲＡＷデータＳ１への３次元ノイズリダクション強度Ｓ３１とセンサーゲイン値Ｓ２の二つからＳ／Ｎ改善量Ｓ３３が抽出されるものである。
【００６７】
上述したようにゲイン変調部３４には、３次元ノイズリダクション強度と、露出判定部２から出力されるセンサーゲイン値Ｓ２が入力される。そして、ゲイン変調部３４は、これら二つの値からＳ／Ｎ改善量テーブル３３のテーブル値を参照してＳ／Ｎ改善量Ｓ３３を抽出する。
【００６８】
ゲイン変調部３４は、３次元ノイズリダクション強度、及びイメージセンサー１のセンサーゲイン値Ｓ２に基づいてＳ／Ｎ改善量テーブル３３から抽出したＳ／Ｎ改善量Ｓ３３によって、センサーゲイン値Ｓ２を変調するものである。このとき、ゲイン変調部３４は、センサーゲイン値Ｓ２からＳ／Ｎ改善量Ｓ３３を減算する。そして、ゲイン変調部３４は、変調したセンサーゲイン値Ｓ３４を、現像パラメータ設定部３へ出力する。
【００６９】
現像パラメータ設定部３では、一般的なＲＡＷ現像処理と同様に、変調したセンサーゲイン値Ｓ２４を用いて、現像パラメータ格納部４から補間した現像パラメータＳ４を出力する。そして、現像パラメータ設定部３がＲＡＷ現像処理部５に現像パラメータＳ４の設定を行う。
【００７０】
以上説明した第３の実施の形態例に係るゲイン変調部３４は、３次元ノイズリダクション処理がされたＲＡＷデータＳ３２のＲＡＷ現像処理を行う際に、センサーゲイン値Ｓ２と３次元ノイズリダクション強度に基づいてＳ／Ｎ改善量Ｓ３３を抽出する。そして、ゲイン変調部３４は、センサーゲイン値Ｓ２をＳ／Ｎ改善量Ｓ３３によって改善したセンサーゲイン値Ｓ３４を現像パラメータ設定部３に出力する。Ｓ／Ｎ改善量テーブル３３には、３次元ノイズリダクション強度とセンサーゲイン値Ｓ２から求まるテーブル値としてＳ／Ｎ改善量Ｓ３３が予め規定されているため、ゲイン変調部３４は、速やかにＳ／Ｎ改善量Ｓ３３を抽出し、センサーゲイン値Ｓ２をセンサーゲイン値Ｓ３４に変調できる。このため、様々な３次元ノイズリダクション強度Ｓ３１とセンサーゲイン値Ｓ２の組合せであっても最適なＳ／Ｎ改善量Ｓ３３を抽出してセンサーゲイン値Ｓ２のＳ／Ｎを改善することができる。そして、現像パラメータ格納部４から読み出した現像パラメータＳ３に基づいて、変調されたセンサーゲイン値Ｓ３４から最適な現像パラメータＳ４が設定される。このため、ＲＡＷ現像処理部５は、３次元ノイズリダクション処理がされたＲＡＷデータＳ３２の最適な現像を行うことができる。
【００７１】
また、撮像装置３０がＲＡＷデータの３次元ノイズリダクション処理を行う時も、ＮＲ効果でＲＡＷデータのＳ／Ｎが改善する。このため、ＲＡＷデータのサイズ変更処理と同様に、静止画の現像パラメータとは別に３次元ノイズリダクション処理に用いるパラメータを別途設定する必要があり、現像パラメータ格納部４の記憶容量の増大を招いてしまう。しかし、予めＳ／Ｎ改善量テーブル３３を設けておくことにより、現像パラメータ格納部４の記憶容量を増す必要がなくなる。
【００７２】
＜５．変形例＞
なお、上述した第１〜第３の実施の形態例に係るゲイン変調部は、センサーゲイン値Ｓ２からＳ／Ｎ改善量を減じることにより、センサーゲイン値Ｓ２を変調している。しかし、加減乗除を組み合わせることにより、センサーゲイン値Ｓ２を変調してもよい。
【００７３】
また、上述した第１〜第３の実施の形態例に係る撮像装置の構成及び処理は任意に組み合わせることが可能である。
【００７４】
また、上述した実施の形態例における一連の処理は、ハードウェアにより実行することができるが、ソフトウェアにより実行させることもできる。一連の処理をソフトウェアにより実行させる場合には、そのソフトウェアを構成するプログラムが専用のハードウェアに組み込まれているコンピュータ、又は各種の機能を実行するためのプログラムをインストールしたコンピュータにより、実行可能である。例えば汎用のパーソナルコンピュータ等に所望のソフトウェアを構成するプログラムをインストールして実行させればよい。
【００７５】
また、上述した実施の形態例の機能を実現するソフトウェアのプログラムコードを記録した記録媒体を、システムあるいは装置に供給してもよい。また、そのシステムあるいは装置のコンピュータ（又はＣＰＵ等の制御装置）が記録媒体に格納されたプログラムコードを読み出し実行することによっても、機能が実現されることは言うまでもない。
【００７６】
この場合のプログラムコードを供給するための記録媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００７７】
また、コンピュータが読み出したプログラムコードを実行することにより、上述した実施の形態例の機能が実現される。加えて、そのプログラムコードの指示に基づき、コンピュータ上で稼動しているＯＳ等が実際の処理の一部又は全部を行う。その処理によって上述した実施の形態例の機能が実現される場合も含まれる。
【００７８】
また、本開示は上述した実施の形態例に限られるものではなく、特許請求の範囲に記載した本開示の要旨を逸脱しない限りその他種々の応用例、変形例を取り得ることは勿論である。
【００７９】
また、本開示は以下のような構成も取ることができる。
（１）
光学系を介して入射した像光に基づいて撮像素子が出力するＲＡＷデータを所定の変数値で処理する変数処理部と、
前記撮像素子から前記ＲＡＷデータを受け取って、ＲＡＷデータの撮影時に設定された露出を判定し、前記撮像素子のゲイン値を決定する露出判定部と、
前記撮像素子のゲイン値の改善量が設定される改善量テーブルと、
所定の変数値で処理された前記ＲＡＷデータの情報と、決定された前記撮像素子のゲイン値に基づいて、前記改善量テーブルから前記改善量を抽出し、前記撮像素子のゲイン値を変調するゲイン変調部と、
変調された前記撮像素子のゲイン値に基づいて、前記ＲＡＷデータの現像に用いる現像パラメータを設定する現像パラメータ設定部と、
設定された前記現像パラメータに基づいて前記ＲＡＷデータから現像した画像データを出力する現像処理部と、を備えた
ＲＡＷデータ処理装置。
（２）
前記変数処理部は、前記撮像素子から連続して入力する複数の前記ＲＡＷデータを合成するＲＡＷデータ合成部であって、
前記改善量テーブルには、前記撮像素子のゲイン値で分類される軸と、前記ＲＡＷデータの合成枚数で分類される軸によって構成され、各軸の交わる箇所で前記改善量が設定され、
前記ゲイン変調部は、前記ＲＡＷデータの合成枚数、及び前記撮像素子のゲイン値に基づいて前記改善量テーブルから抽出した前記改善量によって、前記撮像素子のゲイン値を変調する
前記（１）記載の撮像装置。
（３）
さらに、前記変数処理部は、サイズ変更率に基づいて、前記ＲＡＷデータの画像サイズを変更する処理を行うサイズ変更処理部であって、
前記改善量テーブルには、前記撮像素子のゲイン値で分類される軸と、前記サイズ変更率で分類される軸によって構成され、各軸の交わる箇所で前記改善量が設定され、
前記ゲイン変調部は、前記サイズ変更率、及び前記撮像素子のゲイン値に基づいて前記改善量テーブルから抽出した前記改善量によって、前記撮像素子のゲイン値を変調する
前記（１）又は（２）記載の撮像装置。
（４）
さらに、前記変数処理部は、３次元ノイズリダクション強度に基づいて、前記ＲＡＷデータの３次元ノイズリダクション処理を行う３次元ノイズリダクション処理部であって、
前記改善量テーブルには、前記撮像素子のゲイン値で分類される軸と、前記３次元ノイズリダクション強度で分類される軸によって構成され、各軸の交わる箇所で前記改善量が設定され、
前記ゲイン変調部は、前記３次元ノイズリダクション強度、及び前記撮像素子のゲイン値に基づいて前記改善量テーブルから抽出した前記改善量によって、前記撮像素子のゲイン値を変調する
前記（１）〜（３）のいずれかに記載の撮像装置。
（５）
光学系を介して入射した像光に基づいて撮像素子が出力するＲＡＷデータを所定の変数値で処理することと、
前記撮像素子から前記ＲＡＷデータを受け取って、ＲＡＷデータの撮影時に設定された露出を判定し、前記撮像素子のゲイン値を決定することと、
所定の変数値で処理された前記ＲＡＷデータの情報と、決定された前記撮像素子のゲイン値に基づいて、前記撮像素子のゲイン値の改善量が設定される改善量テーブルから前記改善量を抽出し、前記撮像素子のゲイン値を変調することと、
変調された前記撮像素子のゲイン値に基づいて、前記ＲＡＷデータの現像に用いる現像パラメータを設定することと、
設定された前記現像パラメータに基づいて前記ＲＡＷデータから現像した画像データを出力することと、を含む
ＲＡＷデータ処理方法。
（６）
光学系を介して入射した像光に基づいてＲＡＷデータを出力する撮像素子と、
前記ＲＡＷデータを所定の変数値で処理する変数処理部と、
前記撮像素子から前記ＲＡＷデータを受け取って、ＲＡＷデータの撮影時に設定された露出を判定し、前記撮像素子のゲイン値を決定する露出判定部と、
前記撮像素子のゲイン値の改善量が設定される改善量テーブルと、
所定の変数値で処理された前記ＲＡＷデータの情報と、決定された前記撮像素子のゲイン値に基づいて、前記改善量テーブルから前記改善量を抽出し、前記撮像素子のゲイン値を変調するゲイン変調部と、
変調された前記撮像素子のゲイン値に基づいて、前記ＲＡＷデータの現像に用いる現像パラメータを設定する現像パラメータ設定部と、
設定された前記現像パラメータに基づいて前記ＲＡＷデータから現像した画像データを出力する現像処理部と、を備えた
撮像装置。
【符号の説明】
【００８０】
１…イメージセンサー、２…露出判定部、３…現像パラメータ設定部、４…現像パラメータ格納部、５…ＲＡＷ現像処理部、１０，２０，３０…撮像装置、１１，２１，３１…ＲＡＷデータ処理装置、１２…ＲＡＷデータ合成部、１３，２３，３３…Ｓ／Ｎ改善量テーブル、１４，２４，３４…ゲイン変調部、２２…サイズ変更処理部、３２…３次元ノイズリダクション処理部
【図１】
2014045244.tif 000003
【図２】
2014045244.tif 000004
【図３】
2014045244.tif 000005
【図４】
2014045244.tif 000006
【図５】
2014045244.tif 000007
【図６】
2014045244.tif 000008
【図７】
2014045244.tif 000009
【図８】
2014045244.tif 000010